(57)【要約】【課題】温度変動等の経時変動がある場合でも、色間のビームスポット位置ずれ（色ずれ）を走査領域の全域にわたって良好に補正する。【解決手段】遷移タイミングを指示する位相データ２１と、高周波クロック生成回路２０で生成された高周波クロックとの比較結果を基に、画素クロック制御回路２３は画素クロックの遷移タイミングを可変にし、画素クロックの位相をシフトさせた信号を光源２４に入力することにより、ビームスポット位置を補正する。走査領域２７を複数の区間に分割し、分割区間毎にビームスポット位置間隔の疎密を補正する。【選択図】図５
2005224947.tif 000002
【特許請求の範囲】
【請求項１】
光源からの光ビームを光偏向器により走査し、走査結像光学系により被走査面上に集束する光走査装置において、被走査面上での主走査方向に沿ったビームスポット位置間隔の疎密を補正することができるビームスポット位置補正手段と、前記ビームスポット位置間隔の疎密を補正するための情報を記憶する記憶手段と、ビームスポット位置の変動を検出もしくは予測する手段と、を有し、前記記憶手段を書き換え可能にするとともに、前記ビームスポット位置の変動を検出もしくは予測する手段によって得られた結果に基づいて、前記記憶手段で記憶している情報を書き換え、ビームスポット位置の変動を補正することを特徴とする光走査装置。
【請求項２】
請求項１に記載の光走査装置において、前記ビームスポット位置補正手段は、走査領域を複数の区間に分割し、分割区間毎にビームスポット位置間隔の疎密を補正することを特徴とする光走査装置。
【請求項３】
請求項２に記載の光走査装置において、前記分割区間は、走査領域を異なった間隔で分割して設定していることを特徴とする光走査装置。
【請求項４】
請求項１に記載の光走査装置において、前記ビームスポット位置補正手段は、画素クロックの遷移タイミングを指示する位相データに基づいて画素クロックの周期を可変することにより、ビームスポット位置間隔の疎密を補正するとともに、少なくとも前記位相データを前記記憶手段で記憶しておくことを特徴とする光走査装置。
【請求項５】
請求項１に記載の光走査装置において、前記ビームスポット位置の変動を検出もしくは予測する手段は、前記光源からの光ビームを検出する主走査方向に沿った少なくとも２つの光検出手段を設け、前記光検出手段の間の走査時間を検出することにより行うことを特徴とする光走査装置。
【請求項６】
請求項５に記載の光走査装置において、前記光検出手段は、少なくとも光偏向器により同一方向に偏向される複数の光ビーム間で共用することを特徴とする光走査装置。
【請求項７】
請求項１に記載の光走査装置において、前記ビームスポット位置の変動を検出もしくは予測する手段は、温度検出手段を設け、光走査装置内の温度を検出することにより行うことを特徴とする光走査装置。
【請求項８】
請求項１に記載の光走査装置において、前記ビームスポット位置の変動を検出もしくは予測する手段は、光偏向器の駆動時間を計測する手段を設け、光偏向器の駆動時間を検出することにより行うことを特徴とする光走査装置。
【請求項９】
請求項１に記載の光走査装置において、前記ビームスポット位置の補正は、連続プリント時の非有効領域時もしくはプリントジョブとプリントジョブとの間で行うことを特徴とする光走査装置。
【請求項１０】
請求項１〜９のいずれか一つに記載の光走査装置と、静電像をトナーで顕像化する現像手段と、顕像化された画像を形成する転写手段とを有する画像形成装置において、前記ビームスポット位置の変動を検出もしくは予測する手段によって得られた結果に基づいて、前記記憶手段で記憶している情報を書き換え、ビームスポット位置の変動を補正することを特徴とする画像形成装置。
【請求項１１】
請求項１〜９のいずれか一つに記載の光走査装置を複数有し、静電像を各色トナーで顕像化する現像手段と、顕像化された各色画像を重ねあわせてカラー画像を形成する転写手段とを有する多色画像形成装置において、前記ビームスポット位置の変動を検出もしくは予測する手段によって得られた結果に基づいて、前記記憶手段で記憶している情報を書き換え、基準色画像に対する各色画像の相対的なビームスポット位置のずれを補正することを特徴とする多色画像形成装置。
【請求項１２】
請求項１１に記載の多色画像形成装置において、前記複数の光源からの光ビームを検出する少なくとも１つの光検出手段を有し、前記複数の光ビームが光検出手段により検出される時間差により、各色間での相対的なビームスポット位置のずれを補正することを特徴とする多色画像形成装置。
【請求項１３】
請求項１２に記載の多色画像形成装置において、前記光検出手段は、少なくとも光偏向器により同一方向に偏向される複数の光ビーム間で共用することを特徴とする多色画像形成装置。
【請求項１４】
請求項１１に記載の多色画像形成装置において、各色間での画像の書き出し位置を略合わせる手段と、各色間での画像の書き終わり位置が略一致するように画像幅を略合わせる手段と、を有していることを特徴とする多色画像形成装置。
【請求項１５】
請求項１１に記載の多色画像形成装置において、各色間での画像の書き出し位置を略合わせる手段を有し、各色間での相対的なビームスポット位置ずれを補正するとともに、画像幅の変動もしくは各色間での画像幅のずれが補正されるように、各像高でのビームスポット位置補正量を調整し、前記記憶手段で記憶する情報を設定することを特徴とする多色画像形成装置。
【請求項１６】
請求項１１に記載の多色画像形成装置において、出力画像における一方の端に向かう方向を正、他方に向かう方向を負と定義し、ビームスポット位置ずれ補正の方向の符号を中心像高付近で反転させ、且つ補正量は中心像高付近を中心にして略対称になるように各像高でのビームスポット位置補正量を調整し、前記記憶手段で記憶する情報を設定することを特徴とする多色画像形成装置。
【請求項１７】
請求項１１に記載の多色画像形成装置において、出力画像における一方の端に向かう方向を正、他方に向かう方向を負と定義し、ビームスポット位置ずれ補正の方向が、全像高に渡って同一方向であり、且つ補正量は中心像高付近が最も大きく周辺像高にいくに従って減少するように各像高でのビームスポット位置補正量を調整し、前記記憶手段で記憶する情報を設定することを特徴とする多色画像形成装置。
【発明の詳細な説明】
【技術分野】
【０００１】
本発明は、デジタル複写機及びレーザプリンタ等に用いられる光走査装置及び該光走査装置を用いた多色画像形成装置に関する。
【背景技術】
【０００２】
レーザプリンタ等に関連して広く知られた光走査装置は一般に、光源側からの光ビームを光偏向器により偏向させ、ｆθレンズ等の走査結像光学系により被走査面に向けて集光して被走査面上に光スポットを形成し、この光スポットで被走査面を光走査（主走査）するように構成されている。被走査面の実体をなすものは光導電性の感光体等である感光媒体の感光面である。
【０００３】
光偏向器としては等角速度で偏向面が回転するポリゴンスキャナ等が一般的に用いられており、また、半導体レーザ等の光源はある一定の周波数で変調される。このような光源、光偏向器を用いて光走査装置を構成し、感光体等の被走査面を光走査した場合には、ビームスポット位置は等間隔で配置されず、走査速度は一定でない。このため、ビームスポット位置を等間隔で配置し、走査速度を一定にして光走査を行うために、ｆθレンズ等の走査結像光学系を用いて補正を行うことで、被走査面での等速度光走査が可能になる。しかし、ｆθレンズ等を用いた走査速度の補正には限界があり、走査速度を完全に一定にすることはできず、「走査速度ムラ」が生じる。さらに、ｆθレンズの製造誤差や、経時変動等によって、走査速度ムラは増大する。
【０００４】
走査速度ムラが発生すると画像に歪みが生じ、画像品質の劣化となる。また、カラー画像形成装置の場合においては、複数のｆθレンズを使用するため、ｆθレンズの製造誤差や設置誤差等の影響により、色により異なった走査速度ムラが発生し、その結果色ずれが生じる。
【０００５】
走査速度ムラの補正を行う技術としては、例えば、基本的に画素クロックの周波数を変化させて、走査線に沿ったビームスポット位置を補正する方法が知られている（例えば、特許文献１、２を参照）。
【０００６】
また、別の方式の走査速度ムラ補正方法として、走査領域を複数の区間に分割し、各分割区間ごとに画素クロックの位相を変化させることにより、走査線に沿ったビームスポット位置を補正する方法が本出願人により提案されている（例えば、特許文献３、４を参照）。
【０００７】
上記出願に記載されているビームスポット位置補正方法を用いることで、初期（工場出荷時）では色ずれ補正が可能となっているが、上記出願では経時変動時の色ずれ補正方法については記載されていない。
【０００８】
カラー画像形成装置では、一般に複数のｆθレンズを用い、そのｆθレンズは空間的に異なった場所に設置される。設置場所が空間的に異なると、設置場所の温度差によりｆθレンズの光学特性が色間で異なってしまい、上記ビームスポット位置補正方法を用いて初期（工場出荷時）で色ずれ補正を行っていたとしても、色ずれが発生してしまう。
【０００９】
更に、一般に光走査装置にはポリゴンスキャナ等の光偏向器が用いられ、ポリゴンスキャナは高速で回転するため、大きな熱源となる。その熱源の影響により、ｆθレンズに温度分布が発生し、その温度分布は複数のｆθレンズ間で同一ではないため、色ずれが発生する。
【００１０】
更に、ポリゴンスキャナの回転により発生する気流の影響によっても、ｆθレンズに温度分布が発生し、それが色ずれにつながる。
【００１１】
以上のようなことにより、多枚数の連続プリント時において、初めのプリント時には色ずれは生じていなかったとしても、連続プリントの終了時には、色ずれが生じてしまう。
【００１２】
近年、前記走査速度補正の高精度化のため、非球面形状に代表される特殊な面をｆθレンズ等の光学素子に採用することが一般的になってきており、その光学素子には、特殊面を容易に作製することができ且つ低コストな樹脂がよく用いられる。このような、樹脂製で特殊面を採用した光学素子は、高精度な光走査と低コスト化が両立できる。
【００１３】
しかし、樹脂はガラスに比べ熱膨張係数が大きく、そのため、温度変動（温度分布）により形状変化及び屈折率変化が生じやすい。従って、ｆθレンズ等の光学素子に樹脂を用いた場合には、上記のような温度変動の影響により生じる色ずれは大きい。
【００１４】
上記のような温度変動による色ずれ補正の方法として、走査開始端から走査終了端までの走査時間を検出することにより、画素クロックの周波数を変化させることにより色ずれを補正する方法がある（例えば、特許文献５を参照）。
【００１５】
しかしこの方法では、走査開始端および終了端では色ずれを補正できるが、中央部では補正できない。
【００１６】
図１に示すように、単一のポリゴンスキャナを用いて両方向に光ビームを振り分ける方式では、光ビームを振り分ける方向によって、ｆθレンズに対するポリゴンスキャナの気流が逆方向に発生する。その結果、ポリゴンスキャナによる気流の影響により生じる温度分布が光ビームを振り分ける方向によって逆に生じてしまい、大きな色ずれが発生する。
【００１７】
上記問題を軽減するため、単一のポリゴンスキャナを用いて全ての光ビームを同一方向に偏向し、最もポリゴンスキャナに近い走査レンズを全ての光ビームで共用する方式が知られている（例えば、特許文献６、７を参照）。
【００１８】
【特許文献１】特開平１１−１６７０８１号公報
【特許文献２】特開２００１−２２８４１５号公報
【特許文献３】特開２００３−９８４６５号公報
【特許文献４】特開２００３−１０３８３０号公報
【特許文献５】特開平９−５８０５３号公報
【特許文献６】特開平２−２５００２０号公報
【特許文献７】特開平７−４３６２７号公報
【発明の開示】
【発明が解決しようとする課題】
【００１９】
上記した方式を用いれば、ポリゴンスキャナの気流による温度分布の影響は軽減される。しかし、最もポリゴンスキャナに近い走査レンズは全ての光ビーム共用するため副走査方向に高くなってしまい、副走査方向位置の違いにより温度分布の発生の仕方が異なってしまうため、色ずれが生じてしまう。
【００２０】
本発明の目的は、温度変動等の経時変動がある場合でも、色間のビームスポット位置ずれ（色ずれ）を走査領域の全域にわたって良好に補正する光走査装置および多色画像形成装置を提供することにある。
【００２１】
具体的には、まず請求項１〜９では、温度変動等の経時変動時の光走査特性の変化を検出し、その検出結果に基づき、ビームスポット位置の変動の補正することで、温度変動等の経時変動時にも良好な走査特性を保つことができる光走査装置を実現することを目的とし、
請求項１０では、上記光走査装置をもった画像形成装置を実現することで、温度変動等の経時変動時でも良好な画像を得ることを目的とし、
請求項１１〜１７では、上記光走査装置を複数兼ね備えた多色画像形成装置を実現することで、温度変動等の経時変動時でも色ずれが少ない画像を得ることを目的とする。
【課題を解決するための手段】
【００２２】
本発明（請求項１）は、光源からの光ビームを光偏向器により走査し、走査結像光学系により被走査面上に集束する光走査装置において、被走査面上での主走査方向に沿ったビームスポット位置間隔の疎密を補正することができるビームスポット位置補正手段と、前記ビームスポット位置間隔の疎密を補正するための情報を記憶する記憶手段と、ビームスポット位置の変動を検出もしくは予測する手段と、を有し、前記記憶手段を書き換え可能にするとともに、前記ビームスポット位置の変動を検出もしくは予測する手段によって得られた結果に基づいて、前記記憶手段で記憶している情報を書き換え、ビームスポット位置の変動を補正することを特徴とする。
【００２３】
本発明（請求項２）は、請求項１に記載の光走査装置において、前記ビームスポット位置補正手段は、走査領域を複数の区間に分割し、分割区間毎にビームスポット位置間隔の疎密を補正することを特徴とする。
【００２４】
本発明（請求項３）は、請求項２に記載の光走査装置において、前記分割区間は、走査領域を異なった間隔で分割して設定していることを特徴とする。
【００２５】
本発明（請求項４）は、請求項１に記載の光走査装置において、前記ビームスポット位置補正手段は、画素クロックの遷移タイミングを指示する位相データに基づいて画素クロックの周期を可変することにより、ビームスポット位置間隔の疎密を補正するとともに、少なくとも前記位相データを前記記憶手段で記憶しておくことを特徴とする。
【００２６】
本発明（請求項５）は、請求項１に記載の光走査装置において、前記ビームスポット位置の変動を検出もしくは予測する手段は、前記光源からの光ビームを検出する主走査方向に沿った少なくとも２つの光検出手段を設け、前記光検出手段の間の走査時間を検出することにより行うこと、を特徴とする。
【００２７】
本発明（請求項６）は、請求項５に記載の光走査装置において、前記光検出手段は、少なくとも光偏向器により同一方向に偏向される複数の光ビーム間で共用することを特徴とする。
【００２８】
本発明（請求項７）は、請求項１に記載の光走査装置において、前記ビームスポット位置の変動を検出もしくは予測する手段は、温度検出手段を設け、光走査装置内の温度を検出することにより行うことを特徴とする。
【００２９】
本発明（請求項８）請求項１に記載の光走査装置において、前記ビームスポット位置の変動を検出もしくは予測する手段は、光偏向器の駆動時間を計測する手段を設け、光偏向器の駆動時間を検出することにより行うことを特徴とする。
【００３０】
本発明（請求項９）は、請求項１に記載の光走査装置において、前記ビームスポット位置の補正は、連続プリント時の非有効領域時もしくはプリントジョブとプリントジョブとの間で行うことを特徴とする。
【００３１】
本発明（請求項１０）は、請求項１〜９のいずれかに記載の光走査装置と、上記静電像をトナーで顕像化する現像手段と、顕像化された画像を形成する転写手段とを有する画像形成装置において、前記ビームスポット位置の変動を検出もしくは予測する手段によって得られた結果に基づいて、前記記憶手段で記憶している情報を書き換え、ビームスポット位置の変動を補正することを特徴とする。
【００３２】
本発明（請求項１１）は、請求項１〜９のいずれかに記載の光走査装置を複数有し、上記静電像を各色トナーで顕像化する現像手段と、顕像化された各色画像を重ねあわせてカラー画像を形成する転写手段とを有する多色画像形成装置において、前記ビームスポット位置の変動を検出もしくは予測する手段によって得られた結果に基づいて、前記記憶手段で記憶している情報を書き換え、基準色画像に対する各色画像の相対的なビームスポット位置のずれを補正することを特徴とする。
【００３３】
本発明（請求項１２）請求項１１に記載の多色画像形成装置において、前記複数の光源からの光ビームを検出する少なくとも１つの光検出手段を有し、前記複数の光ビームが光検出手段により検出される時間差により、各色間での相対的なビームスポット位置のずれを補正することを特徴とする。
【００３４】
本発明（請求項１３）は、請求項１２に記載の多色画像形成装置において、前記光検出手段は、少なくとも光偏向器により同一方向に偏向される複数の光ビーム間で共用することを特徴とする。
【００３５】
本発明（請求項１４）は、請求項１１に記載の多色画像形成装置において、各色間での画像の書き出し位置を略合わせる手段と、各色間での画像の書き終わり位置が略一致するように画像幅を略合わせる手段と、を有していることを特徴とする。
【００３６】
本発明（請求項１５）は、請求項１１に記載の多色画像形成装置において、各色間での画像の書き出し位置を略合わせる手段を有し、各色間での相対的なビームスポット位置ずれを補正するとともに、画像幅の変動もしくは各色間での画像幅のずれが補正されるように、各像高でのビームスポット位置補正量を調整し、前記記憶手段で記憶する情報を設定することを特徴とする。
【００３７】
本発明（請求項１６）は、請求項１１に記載の多色画像形成装置において、出力画像における一方の端に向かう方向を正、他方に向かう方向を負と定義し、ビームスポット位置ずれ補正の方向の符号を中心像高付近で反転させ、且つ補正量は中心像高付近を中心にして略対称になるように各像高でのビームスポット位置補正量を調整し、前記記憶手段で記憶する情報を設定することを特徴とする。
【００３８】
本発明（請求項１７）は、請求項１１に記載の多色画像形成装置において、出力画像における一方の端に向かう方向を正、他方に向かう方向を負と定義し、ビームスポット位置ずれ補正の方向が、全像高に渡って同一方向であり、且つ補正量は中心像高付近が最も大きく周辺像高にいくに従って減少するように各像高でのビームスポット位置補正量を調整し、前記記憶手段で記憶する情報を設定することを特徴とする。
【発明の効果】
【００３９】
本発明（請求項１）を用いることで、温度変動等の経時変動の際に、ビームスポット位置ずれが起こったとしても、ビームスポット位置ずれを良好に補正することが可能であるため、温度変動等の経時変動時でも良好な光走査特性を保つことができる光走査装置を得ることができる。
【００４０】
本発明（請求項２、４）を用いることで、ビームスポット位置間隔の疎密を高精度に補正することができる。さらに、走査結像レンズの設計において、リニアリティ補正を緩めることができるため、走査結像レンズを薄肉・均肉化することができ、その結果低コストで高精度な面形状を持つ走査結像レンズを得ることができる。
【００４１】
本発明（請求項３）を用いることで、分割数の低減によるコストダウンとビームスポット位置ずれ補正の高精度化の両立を図ることができる。
【００４２】
本発明（請求項５、７、８）を用いることで、温度変動等の経時変動の際のビームスポット位置変動を良好に予測することが可能であり、その予測結果に基づいて、良好にビームスポット位置変動を補正できる。
【００４３】
本発明（請求項６、１３）を用いることで、光検出手段を少なくすることができ、コストの低減が図れる。さらに、例えばフォトダイオード等の光検出手段の素子間の特性のばらつきによる検出誤差をなくすことができるため、高精度な時間検出が可能になる。
【００４４】
本発明（請求項９）を用いることで、連続プリント時でも、常に色ずれや色濃度の変化の少ない高精度な画像が得られる。
【００４５】
本発明（請求項１０）を用いることで、温度変動等の経時変動時でも、画像の歪み等のない高品位な画像が得られる。また、ビームスポット位置補正時のトナー消費量を低減することができる。
【００４６】
本発明（請求項１１）を用いることで、温度変動等の経時変動時でも、色ずれや色濃度の変化の少ない高品位な画像が得られる。また、ビームスポット位置補正時のトナー消費量を低減することができる。
【００４７】
本発明（請求項１２）を用いることで、温度変動等の経時変動の際のビームスポット位置変動を良好に予測することが可能であり、その予測結果に基づいて、良好にビームスポット位置変動を補正でき、色ずれや色濃度の変化の少ない高精度な画像が得られる。
【００４８】
本発明（請求項１４）を用いることで、画像の書き出し位置と書き終わり位置を各色間で良好に一致させることで、中間像高における補正精度の向上を図ることができ、画像全域に渡って色ずれが少ない高品位な画像を得ることができる。
【００４９】
本発明（請求項１５）を用いることで、補正アルゴリズムの簡単化を図り、且つ高価なフォトダイオード等の高価な光検出手段を少なくすることができ、且つ各色間でのビームスポット位置ずれを小さくすることができ、色ずれの少ない高品位な画像が得られる。
【００５０】
本発明（請求項１６、１７）を用いることで、全像高に渡って、各色間での相対的な位置ずれを良好に補正することができ、色ずれや色濃度の変化の少ない高精度な画像が得られる。
【発明を実施するための最良の形態】
【００５１】
以下、発明の実施の形態について図面により詳細に説明する。
【実施例１】
【００５２】
図１は、本発明の光走査装置を４ドラムのタンデム式カラー画像形成装置に適用した実施例を示す。図１（ａ）は、光走査装置の光学配置を副走査方向から見た状態を示し、同図（ｂ）は、主走査方向から見た状態を示す。図示の簡略化のため、偏向手段から被走査面に至る光路を直線的に展開して示している。
【００５３】
以下の説明において、Ｙ、Ｍ、Ｃ、Ｋは、イエロー、マゼンタ、シアン、黒の各色を示す。
【００５４】
図１（ａ）において、レーザ光源１Ｙ〜１Ｋは半導体レーザであって、それぞれ、イエロー（Ｙ）、マゼンタ（Ｍ）、シアン（Ｃ）、黒（Ｋ）の「各色トナーで可視化されるべき静電潜像」を書込むための光ビームを放射する。２Ｙ〜２Ｋはカップリングレンズ、３Ｙ〜３Ｋはシリンドリカルレンズを示す。
【００５５】
レーザ光源１Ｋ（１Ｙ）から放射された光ビームはカップリングレンズ２Ｋ（２Ｙ）により平行光束化され、図示されないアパーチュアによりビーム整形された後、シリンドリカルレンズ３Ｋ（３Ｙ）により副走査方向（図面に直交する方向）にのみ集束され、ポリゴンミラー４の偏向反射面位置に、主走査方向に長い線像として結像する。
【００５６】
同様に、レーザ光源１Ｍ（１Ｃ）から放射された光ビームはカップリングレンズ２Ｍ（２Ｃ）により平行光束化され、図示されないアパーチュアによりビーム整形された後、シリンドリカルレンズ３Ｍ（３Ｃ）により副走査方向（図面に直交する方向）にのみ集束され、ポリゴンミラー４の偏向反射面位置に、主走査方向に長い線像として結像する。
【００５７】
レーザ光源１Ｋ（１Ｙ）から放射された光ビームのポリゴンミラーへの入射位置と、レーザ光源１Ｍ（１Ｃ）から放射された光ビームのポリゴンミラーへの入射位置は、ポリゴンミラーの回転軸を含む平面に対して、ほぼ対称な位置関係になっている。
【００５８】
図１では、イエロー（Ｙ）、黒（Ｋ）を同方向に、シアン（Ｃ）、マゼンタ（Ｍ）を同方向に走査している図を記しているが、この組み合わせは変わってもよい。
【００５９】
ポリゴンミラー４は、偏向反射面を６面有し、図１においては「各偏向反射面が回転軸方向に単一の反射面となっている」が、偏向反射面として用いられない光ビーム間部分に「ポリゴンミラー４の内接円より若干小径となる」ように溝を形成したものを用いてもよい。
【００６０】
レーザ光源側からの４本の光ビームは、ポリゴンミラー４の等速回転に伴い、同時に等角速度的に偏向される。偏向する４本の光ビームは、走査結像レンズ５Ｙ〜５Ｋと走査結像レンズ６Ｙ〜６Ｋによりそれぞれ被走査面７Ｙ〜７Ｋに導光され、これら被走査面７Ｙ〜７Ｋ上に夫々光スポットとして集光し被走査面の光走査を行う。
【００６１】
図１（ａ）、（ｂ）に示すように、走査結像レンズ５Ｙ〜５Ｋと６Ｙ〜６Ｋとは「結像手段」を構成している。走査結像レンズ５Ｙと走査結像レンズ６Ｙとは、被走査面７Ｙを光走査する光スポットを形成する「走査結像光学系」を構成する。同様に、走査結像レンズ５Ｋと走査結像レンズ６Ｋとは、被走査面７Ｋを光走査する光スポットを形成する「走査結像光学系」を、走査結像レンズ５Ｃと走査結像レンズ６Ｃとは、被走査面７Ｃを光走査する光スポットを形成する「走査結像光学系」を構成し、走査結像レンズ５Ｍと走査結像レンズ６Ｍとは、被走査面７Ｍを光走査する光スポットを形成する「走査結像光学系」を構成する。
【００６２】
即ち「結像手段」は上記４組の走査結像光学系で構成され、詳しくは、８枚の走査結像レンズ５Ｙ〜５Ｋ、６Ｙ〜６Ｋで構成されている。
【００６３】
被走査面７Ｙ〜７Ｋは実態的には「像担持体」である。即ち、図１に示す光走査装置は、複数のレーザ光源１Ｙ〜１Ｋから射出した各光ビームを、偏向手段４と結像手段５Ｙ〜５Ｋ、６Ｙ〜６Ｋとを介してそれぞれ異なる像担持体７Ｙ〜７Ｋ上に導き、光走査を行う光走査装置であって、複数のレーザ光源１Ｙ〜１Ｋから射出した各光ビームを、共通の偏向手段４を用いて光走査するように構成され、結像手段が複数の走査結像レンズ５Ｙ〜５Ｋ、６Ｙ〜６Ｋで構成される。
【００６４】
像担持体７Ｙ〜７Ｋには、それぞれ対応する光ビームが光スポットとして集光し、これら光スポットにより光走査がなされ、像担持体７Ｙには「イエロートナーにより可視化されるべき静電潜像」が形成され、像担持体７Ｍ、７Ｃ、７Ｋにはそれぞれ「マゼンタトナー、シアントナー、黒トナーにより可視化されるべき静電潜像」が形成される。
【００６５】
これらの静電潜像は、夫々対応する色のトナーにより可視化され、後述するように同一のシート状記録媒体上に転写されて相互に重ね合わせられ、カラー画像を構成する。そして、このカラー画像がシート状記録媒体に定着される。
【００６６】
付言すると、上に説明した実施の形態においては、各レーザ光源からの光ビームをカップリングレンズにより平行光束化したが、カップリングレンズ透過後の光ビームを「弱い収束光束あるいは弱い発散光束」とするように光走査光学系を構成することもできる。
【００６７】
さらに、本発明では、ビームスポット位置間隔の疎密を補正することができるビームスポット位置補正手段と、ビームスポット位置間隔の変動を検出もしくは予測する手段を有している。この検出もしくは予測手段によってビームスポット位置間隔の変動を検出もしくは予測し、その検出もしくは予測する結果に基づいて、ビームスポット位置補正手段により、ビームスポット位置間隔の変動を補正する。このような構成にすることで、温度変化等の経時変動により、ビームスポット位置がずれたときでも、変動前のビームスポット位置に戻すことが可能であるため、温度変動等の経時変動によらない高精度な光走査が可能となる。
【００６８】
走査領域を複数の区間に分割し、分割区間毎にビームスポット位置間隔の疎密を補正する方法について、図５、６を用いて説明する。
【００６９】
図５の実施例では、遷移タイミングを指示する位相データ２１と高周波クロック２０により遷移タイミングを可変し、画素クロック２３の位相をシフトさせた信号を光源２４に入力することにより、ビームスポット位置を補正している。以下、位相をシフトさせるクロックに対応した画素を「位相シフト画素」と呼ぶ。
【００７０】
図６を用いてビームスポット位置間隔の疎密が補正できる様子を示す。説明の簡単化のため、位相シフト画素は等間隔に配置されているとする。また、画素クロックの位相を遅らせる方向の画素の個数は−で表す。
【００７１】
図６（ａ）は、画素クロックが均一であるとき（補正前）、図６（ｂ）は２画素おきに画素クロックの位相を１／１６ＰＣＬＫ（ＰＣＬＫは画素クロックの意味）だけ進めた様子を表しており（位相シフト画素の個数は６個）、図６（ｃ）は２画素おきに画素クロックの位相を１／１６ＰＣＬＫだけ遅らせた様子を示している（位相シフト画素の個数は−６個）。図６（ｂ）は図６（ａ）に対して全体的に画素が密になっており、図６（ｃ）は図６（ａ）に対して全体的に画素が疎になっているのがわかる（正確には、位相シフト画素とその隣の画素の間隔のみが変化しているが、平均的に見ると、全体的に疎または密と見なせる）。位相シフト画素の個数を変化させれば、当然画素の密（疎）の程度を変化させることができる。
【００７２】
有効走査領域を複数の区間に分割し、各区間により位相シフト画素の個数を変化させることで、すなわち、図６（ｂ）と図６（ｃ）の状態を組み合わせ、位相シフト画素の個数を調整して画素の密（疎）の程度を調整することで、有効走査領域における主走査ビームスポット位置間隔の疎密を良好に補正することが可能である。
【００７３】
上記のように走査領域を複数の区間に分割する際、異なった幅で分割するのが良い（以下、異なった幅で分割することを「偏分割」と呼ぶ）。ビームスポット位置間隔の疎密の発生状態によって分割区間の幅を可変できるため、効果的にビームスポット位置間隔の疎密を補正することができる。このことは、より少ない分割数で高精度な補正が可能になることを意味し、分割数を少なくすることによるメモリの低減による低コスト化と補正の高精度化の両立が図れる。
【００７４】
画素クロックの遷移タイミングを指示する位相データに基づいて画素クロックの周期を変化させる原理を示す図を図２、３、４に示す。
【００７５】
図２において、画素クロック生成回路１０は高周波クロック生成回路１１、カウンタ１２、比較回路１３及び画素クロック制御回路１４からなる。高周波クロック生成回路１１は画素クロックＰＣＬＫの基準となる高周波クロックＶＣＬＫを生成する。カウンタ１２は高周波クロックＶＣＫＬの立上がりで動作して該ＶＣＫＬをカウントするカウンタである。比較回路１２はカウンタの値とあらかじめ設定された値及び外部から与えられる画素クロックの遷移タイミングとして位相シフト量を指示する位相データと比較し、その比較結果にもとづき制御信号ａ、制御信号ｂを出力する。画素クロック制御回路１３は制御信号ａ、制御信号ｂにもとづき画素クロックＰＣＬＫの遷移タイミングを制御する。
【００７６】
ここで、位相データは走査レンズの特性により生ずる走査ムラを補正したり、ポリゴンミラーの回転ムラによってドット位置ずれを補正したり、レーザ光の色収差によって生ずるドット位置ずれを補正するために画素クロックの位相のシフト量を指示するためのデータで、一般に数ビットのデジタル値で与えられる。
【００７７】
図２の画素クロック生成回路の動作について図３のタイミング図を用いて説明する。ここでは、画素クロックＰＣＬＫは高周波クロックＶＣＬＫの８分周とし、標準ではデュティ比５０％とする。図３（ａ）はＶＣＬＫの８分周に相当するデュティ比５０％の標準の画素クロックＰＣＬＫを生成する様子を、図３（ｂ）はＶＣＬＫの８分周クロックに対して１／８クロックだけ位相を進めたＰＣＬＫを生成する様子を、図３（ｃ）はＶＣＬＫの８分周クロックに対して１／８クロックだけ位相を遅らせたＰＣＬＫクロックを生成する様子を示したものである。
【００７８】
まず、図３（ａ）について説明する。ここでは位相データとして「７」の値が与えられている。比較回路１３には、あらかじめ「３」が設定されている。カウンタ１２は高周波クロックＶＣＬＫの立上がりで動作しカウントを行う。比較回路１３では、まずカウンタ１２の値が「３」になったところで制御信号ａを出力する。画素クロック制御回路１３は、制御信号ａが”Ｈ”になっていることから丸付き数字１のクロックのタイミングで画素クロックＰＣＬＫを”Ｈ”から”Ｌ”に遷移させる。次に比較回路１３では、与えられた位相データとカウンタ値を比較し、一致したら制御信号ｂを出力する。図３（ａ）では、カウンタ１２の値が「７」になったところで、比較回路１３は制御信号ｂを出力する。画素クロック制御回路１４は、制御信号ｂが”Ｈ”になっていることから丸付き数字２のクロックのタイミングで画素クロックＰＣＬＫを”Ｌ”から”Ｈ”に遷移させる。この時、比較回路１３では同時にカウンタ１２をリセットさせ、再び０からカウントを行わせて行く。これにより、図３（ａ）に示すように、高周波クロックＶＣＬＫの８分周に相当するデュティ比５０％の画素クロックＰＣＬＫを生成することができる。なお、比較回路１３の設定値を変えれば、デュティ比が変化する。
【００７９】
次に、図３（ｂ）について説明する。ここでは位相データとして「８」を与えるとする。カウンタ１２は高周波クロックＶＣＬＫのカウントを行う。比較回路１３では、まずカウンタ１２の値が「３」になったところで制御信号ａを出力する。画素クロック制御回路１４は、制御信号ａが”Ｈ”になっていることから丸付き数字１のクロックのタイミングで画素クロックＰＣＬＫを”Ｈ”から”Ｌ”に遷移させる。次に比較回路１３では、カウンタ１２の値が与えられた位相データ（ここでは８）と一致したら制御信号ｂを出力する。画素クロック制御回路１４は、制御信号ｂが”Ｈ”になっていることから丸付き数字２のクロックのタイミングで画素クロックＰＣＬＫを”Ｌ”から”Ｈ”に遷移させる。この時、比較回路１３では同時にカウンタ１２をリセットさせ、再び０からカウントを行わせて行く。これにより、図３（ｂ）に示すように、高周波クロックＶＣＬＫの８分周クロックに対して１／８クロックだけ位相を進ませた画素クロックＰＣＬＫを生成することができる。
【００８０】
次に、図３（ｃ）について説明する。ここでは位相データとして「６」を与えるとする。カウンタ１２は画素クロックＶＣＬＫのカウントを行う。比較回路１３では、まずカウンタ１２の値が「３」になったところで制御信号ａを出力する。画素クロック制御回路１４は、制御信号ａが”Ｈ”になっていることから丸付き数字１のクロックのタイミングで画素クロックＰＣＬＫを”Ｈ”から”Ｌ”に遷移させる。次に比較回路１３では、カウンタ１２の値が与えられた位相データ（ここでは６）と一致したら制御信号ｂを出力する。画素クロック制御回路１４は、制御信号ｂが”Ｈ”になっていることから丸付き数字２のクロックのタイミングで画素クロックＰＣＬＫを”Ｌ”から”Ｈ”に遷移させる。この時、同時にカウンタ１２をリセットさせ再び０からカウントを行わせて行く。これにより、図３（ｃ）に示すように、高周波クロックＶＣＬＫの８分周クロックに対して１／８クロックだけ位相を遅らせた画素クロックＰＣＬＫを生成することができる。
【００８１】
なお、位相データを、例えば画素クロックＰＣＬＫの立上がりに同期させて与えることにより、画素クロックＰＣＬＫの位相を１クロックごとに変化させることが可能となる。図４は、これを示したタイミング図である。
【００８２】
上記のように、簡単な構成で、画素クロックＰＣＬＫの位相を高周波クロックＶＣＬＫのクロック幅単位に±方向に制御することが可能となる。
【００８３】
上記のように、画素クロックＰＣＬＫの位相は１クロックごとに変化させることが可能であるため、高精細な補正が可能であるが、１クロックごとに位相を変化させるとなると、１クロックごとに位相データをメモリに持つ必要があるため、相当量のメモリが必要になり、コストアップを招く。
【００８４】
そこで、前述の図６に示すように、一定画素おきに位相シフト画素を配置するようにしてもよく、そうすることで前記メモリを大幅に低減させることができる。本発明における「位相データ」には、前述のように位相シフト量を指示するデータだけでなく、上記の何画素おきに位相シフトを行うかの情報も含まれているものとする。以上の方法を採用することで、ビームスポット位置間隔の疎密を補正することが可能である。また、少なくとも前記位相データを記憶手段で記憶しておき、書き換え可能としておくことで、温度変動等の経時変動時にビームスポット位置が変動したとしても、記憶手段で記憶している位相データを書き換え、ビームスポット位置の補正の状態を変化させることで、ビームスポット位置の変動を補正することができる。
【００８５】
記憶手段で記憶している情報を書き換えるとき、分割位置、位相データの両方を書き換えた方が、より高精度なビームスポット位置ずれ補正が可能であるが、両方書き換えると、補正アルゴリズムが複雑になるという問題がある。また、位相データのみを書き換える構成とすると、補正精度が若干落ちるが、補正アルゴリズムの簡略化が図れる。従って、補正アルゴリズムが複雑でも高精度な補正が必要なときは分割位置、位相データの両方を書き換え可能に設定しておくのがよく、補正精度が若干落ちても補正アルゴリズムの簡略化が必要なときには位相データのみを書き換え可能に設定しておくのが良い。
【００８６】
更に、光走査装置における走査結像レンズは、通常、光偏向装置の回転に対して主走査ビームスポット位置が線形に変化するように補正（リニアリティ補正）されているが、上記方法を用いることで、上記補正を緩めることが可能になり、他の光学特性の性能向上や、薄肉化、均肉化（中心肉厚と周辺肉厚の差が少ないこと）が図れる。この薄肉・均肉な走査レンズは加工に非常に有利であり、面精度の高い走査レンズを低コストで製作することができるため、リニアリティ補正を弱められるメリットは非常に大きい。
【００８７】
本発明によると、主走査方向に沿った少なくとも２つの光検出手段を設け、その２つの光検出手段間の走査時間を計測することで、ビームスポット位置の変動量もしくは各色画像間の相対的なビームスポット位置ずれを予測することができるため、ビームスポット位置を補正することができる。そのことを図１を用いて説明する。
【００８８】
図１のＰＤ１〜４は光検出手段を示し、本実施例では光検出手段として、フォトダイオード（ＰＤ）を用いている。温度変動等の経時変動により光学特性が変化し、ＰＤ１〜４に到達する光線が実線から点線に変化したとする。そのように変化すると、ＰＤ１とＰＤ２の間の走査時間は、初期状態での走査時間よりも長く観測される。ＰＤ３とＰＤ４の間の走査時間は、初期状態での走査時間よりも短く観測される。
【００８９】
例えば、ビームスポット位置間隔が全走査領域に渡って同じ間隔だけ広がったり縮んだりするなら、光学特性変動前後で書き出し位置と書き終わり位置が一致するように、補正を行うだけで（ビームスポット位置間隔の歪みを補正することなく）、中間像高においてもある程度精度良くビームスポット位置変動を補正できる。しかし、通常、光学特性が変化するときは、ビームスポット位置間隔が全走査領域に渡って同じ間隔だけ広がったり縮んだりすることはなく、ある特定の箇所に歪み（疎密）を伴って変化する。従って、書き出し位置及び書き終わり位置だけでなく中間像高においてもビームスポット位置変動を補正する必要がある、つまり、ビームスポット位置の疎密を補正できる補正方法が必須となる。
【００９０】
上記した温度変動時に発生するビームスポット位置の歪みの箇所は、光走査装置内のレイアウト、画像形成装置内での光走査装置の設置場所等によって様々であるが、逆に、光走査装置内のレイアウト、画像形成装置内での光走査装置の設置場所等が決まっていれば、温度変動時に発生するビームスポット位置の歪みの発生箇所はほぼ決まっており、歪みの発生量は、上記のＰＤ１とＰＤ２（ＰＤ３とＰＤ４）の間の走査時間とほぼ相関がとれる。
【００９１】
従って、上記のＰＤ１とＰＤ２（ＰＤ３とＰＤ４）の間の走査時間を計測し、初期からの変動量を検出することで、温度変動等の経時変動時に発生するビームスポット位置の変動を高精度に補正できる。また、ＰＤ１とＰＤ２の間の走査時間と、ＰＤ３とＰＤ４の間の走査時間を比較することで、温度変動等の経時変動時の、各色間での相対的なビームスポット位置ずれを補正できる。
【００９２】
光学素子等の光走査装置内でのレイアウトを工夫することにより、少なくとも光偏向器で同一方向に偏向される複数の光ビーム間で、光検出手段を共用することが可能である。光検出手段を複数の光ビーム間で共用とすることで、光検出手段を少なくすることができ、コストを低減できるだけでなく、例えばフォトダイオード等の光検出手段の素子間の特性のばらつきによる検出誤差をなくすことができるため、高精度な時間検出が可能になる。
【００９３】
光走査装置内の温度変動を検出することによっても、温度変動等の経時変動時に発生するビームスポット位置の変動を予測することが可能である。
【００９４】
連続プリント時は、ポリゴンミラーが回転しつづけているためポリゴンミラーが発熱する。大きな発熱源であるポリゴンミラーの熱や、ポリゴンミラーの回転による気流の影響で、走査結像レンズの屈折率及び面形状が変化することにより、ビームスポット位置ずれが変動する。そのため、連続プリントの初めにはビームスポット位置ずれが発生していなかったとしても、連続プリントの間で徐々に発生し、当然のことながら、連続プリントの枚数が多いときには大きなビームスポット位置ずれが発生する。更に、ポリゴンミラーに近い走査結像レンズはパワーが強いことが多く、そのため、熱の影響による屈折率及び面形状変化により発生するビームスポット位置ずれ変動は大きい。
【００９５】
このように、温度変動等の経時変動時に発生するビームスポット位置の変動の一番の原因は、ポリゴンミラーの発熱である。従って、温度検出手段を設けることは非常に有用であり、ポリゴンミラーの発熱量や、最もポリゴンミラーに近い走査結像レンズや、最もパワーの大きい走査結像レンズの温度を検出するのが良く、その検出結果に基づいてビームスポット位置の変動を補正するのが良い。また、前記温度検出結果に基づき、各色間の相対的なビームスポット位置ずれを補正してもよい。
【００９６】
前記ポリゴンミラーの発熱は、駆動時間が長くなればなるほど大きくなるため、前記の温度の代わりに駆動時間を検出しても良い。
【００９７】
以上、光偏向器としてポリゴンミラーを例にあげて説明したが、ガルバノミラー等の光偏向器を用いても同様である。また、前記駆動時間検出結果に基づき、各色間の相対的なビームスポット位置ずれを補正してもよい。
【００９８】
上記のように、連続プリントの初めにはビームスポット位置ずれが発生していなかったとしても、ポリゴンミラーの熱や気流の影響により、連続プリントの間で徐々にビームスポット位置ずれが発生し、当然のことながら、連続プリントの枚数が多いときには大きなビームスポット位置ずれが発生する。
【００９９】
従って、上記のビームスポット位置ずれ補正は、例えば、連続プリント時の紙と紙との間等の「連続プリント時の非有効領域」時に補正を行うのがよい。また、プリントジョブとプリントジョブの間で行ってもよい。
次に、上記光走査装置を備えた画像形成装置について説明する。画像形成装置の一例として、図７に示すレーザープリンターを用いて説明する。
【０１００】
レーザプリンター１００は潜像担持体１１１として「円筒状に形成された光導電性の感光体」を有している。潜像担持体１１１の周囲には、帯電手段としての帯電ローラ１１２、現像装置１１３、転写ローラ１１４、クリーニング装置１１５が配備されている。帯電手段としては「コロナチャージャ」を用いることもできる。更に、レーザビームＬＢにより光走査を行う光走査装置１１７が設けられ、帯電ローラ１１２と現像装置１１３との間で「光書込による露光」を行うようになっている。また光走査装置１１７における光源（図示しない）は、前述のとおり、画素クロックの周期を可変する手段をもっている。
【０１０１】
図７において、１１６は定着装置、１１８はカセット、１１９はレジストローラ対、１２０は給紙コロ、１２１は搬送路、１２２は排紙ローラ対、１２３はトレイ、Ｐは記録媒体としての転写紙を示している。
【０１０２】
画像形成を行うときは、光導電性の感光体である像担持体１１１が時計回りに等速回転され、その表面が帯電ローラ１１２により均一帯電され、光走査装置１１７のレーザビームＬＢの光書込による露光を受けて静電潜像が形成される。形成された静電潜像は所謂「ネガ潜像」であって画像部が露光されている。この静電潜像は現像装置１１３により反転現像され、像担持体１１１上にトナー画像が形成される。
【０１０３】
転写紙Ｐを収納したカセット１１８は、画像形成装置１００本体に脱着可能であり、図のごとく装着された状態において、収納された転写紙Ｐの最上位の１枚が給紙コロ１２０により給紙され、給紙された転写紙Ｐは、その先端部をレジストローラ対１１９に捕らえられる。レジストローラ対１１９は、像担持体１１１上のトナー画像が転写位置へ移動するのにタイミングを合わせて、転写紙Ｐを転写部へ送り込む。送り込まれた転写紙Ｐは、転写部においてトナー画像と重ね合わせられ転写ローラ１１４の作用によりトナー画像を静電転写される。トナー画像を転写された転写紙Ｐは定着装置１１６へ送られ、定着装置１１６においてトナー画像を定着され、搬送路１２１を通り、排紙ローラ対１２２によりトレイ１２３上に排出される。トナー画像が転写された後の像担持体１１１の表面は、クリーニング装置１１５によりクリーニングされ、残留トナーや紙粉等が除去される。
【０１０４】
潜像担持体１１１に光走査により潜像を形成し、上記潜像を可視化して所望の記録画像を得る画像形成装置において、潜像担持体１１１を光走査する光走査装置として、請求項４に記載の光走査装置を用いるものであり、潜像担持体１１１は光導電性の感光体であり、その均一帯電と光走査とにより静電潜像が形成され、形成された静電潜像がトナー画像として可視化される。
【０１０５】
前記画像形成装置の光走査装置を本発明の光走査装置とし、各光走査装置で温度変動等の経時変動時に発生するビームスポット位置ずれの変動を検出もしくは予測し、その検出もしくは予測結果に基づいて、ビームスポット位置ずれの変動を補正する。このような構成とすることで、温度変動等の経時変動時でも、画像の歪み等のない高品位な画像が得られる。
【０１０６】
また本発明では、トナーパターンを描き、それを検出することによりビームスポット位置ずれの変動を補正することも可能である。しかし、トナーパターンを描く回数が多くなると、それだけトナー消費量が多くなるため、環境に悪影響を与える。従って、経時変動時のビームスポット位置ずれ予測手段を併用することで、トナー消費量を削減することが望ましい。
【０１０７】
以下に、上記の光走査装置を複数備えたカラー画像形成装置について説明する。図１１は、本発明が適用されるタンデム型フルカラーレーザプリンタを示す。
【０１０８】
装置内の下部側には水平方向に配設されて給紙カセット１から給紙される転写紙（図示せず）を搬送する搬送ベルト２が設けられている。この搬送ベルト２上にはイエローＹ用の感光体３Ｙ，マゼンタＭ用の感光体３Ｍ，シアンＣ用の感光体３Ｃ及びブラックＫ用の感光体３Ｋが上流側から順に等間隔で配設されている。なお、以下、添字Ｙ，Ｍ，Ｃ，Ｋを適宜付けて区別する。これらの感光体３Ｙ，３Ｍ，３Ｃ，３Ｋは全て同一径に形成されたもので、その周囲には、電子写真プロセスに従いプロセス部材が順に配設されている。感光体３Ｙを例に採れば、帯電チャージャ４Ｙ、光走査光学系５Ｙ、現像装置６Ｙ、転写チャージャ７Ｙ、クリーニング装置８Ｙ等が順に配設されている。他の感光体３Ｍ，３Ｃ，３Ｋに対しても同様である。即ち、本実施の形態では、感光体３Ｙ，３Ｍ，３Ｃ，３Ｋを各色毎に設定された被照射面とするものであり、各々に対して光走査光学系５Ｙ，５Ｍ，５Ｃ，５Ｋが１対１の対応関係で設けられている。
【０１０９】
また、搬送ベルト２の周囲には、感光体５Ｙよりも上流側に位置させてレジストローラ９と、ベルト帯電チャージャ１０が設けられ、感光体５Ｋよりも下流側に位置させてベルト分離チャージャ１１、除電チャージャ１２、クリーニング装置１３等が順に設けられている。また、ベルト分離チャージャ１１よりも搬送方向下流側には定着装置１４が設けられ、排紙トレイ１５に向けて排紙ローラ１６で結ばれている。
【０１１０】
このような概略構成において、例えば、フルカラーモード（複数色モード）時であれば、各感光体３Ｙ，３Ｍ，３Ｃ，３Ｋに対してＹ，Ｍ，Ｃ，Ｋ用の各色の画像信号に基づき各々の光走査装置５Ｙ，５Ｍ，５Ｃ，５Ｋによる光ビームの光走査で静電潜像が形成される。これらの静電潜像は各々の対応する色トナーで現像されてトナー像となり、搬送ベルト２上に静電的に吸着されて搬送される転写紙上に順次転写されることにより重ね合わせられ、フルカラー画像として定着された後、排紙される。
【０１１１】
前記画像形成装置の光走査光学系５Ｙ，５Ｍ，５Ｃ，５Ｋを配備した光走査装置を、本発明の光走査装置とすることで、色ずれが無く、高品位な画像再現性が確保できる画像形成装置を実現することができる。
【０１１２】
この画像形成装置における光走査装置は、ビームスポット位置間隔の疎密を補正することが可能なビームスポット位置補正手段と、基準色画像に対する各色画像の相対的なビームスポット位置ずれを検出もしくは予測する手段を有している。基準色画像に対する各色画像の相対的なビームスポット位置ずれを検出もしくは予測する手段により、基準色に対する各色画像の相対的なビームスポット位置ずれを検出もしくは予測し、前記検出もしくは予測結果に基づいて、基準色画像に対する各色画像の相対的なビームスポット位置ずれを補正することができる。このような構成とすることで、温度変動等の経時変動時においても、各色間での相対的なビームスポット位置ずれを補正することができ、連続プリント時等の温度変動が起こる状況においても常に色ずれが少ない高品位な画像が得られる画像形成装置を提供することができる。
【０１１３】
また本発明では、トナーパターンを描き、それを検出することにより相対的なビームスポット位置ずれを補正することも可能である。しかし、トナーパターンを描く回数が多くなると、それだけトナー消費量が多くなるため、環境に悪影響を与える。従って、上記の経時変動時のビームスポット位置ずれ予測手段を併用することで、トナー消費量を削減することが望ましい。
【０１１４】
温度変動等の経時変動時の各色間での相対的なビームスポット位置ずれを予測する、上記とは別の手段として、光検出手段を少なくとも一つ設け、光検出手段による検出結果を各色間で比較することにより、各色間の相対的なビームスポット位置ずれを補正するができる。このことを図８を用いて説明する。
【０１１５】
一例として、マゼンタで現像される像担持体上のビームスポット位置と、シアンで現像される像担持体上のビームスポット位置の相対的な位置ずれを補正することを考える。ＰＤＭはマゼンタで現像される像担持体上に導かれる光ビームを検出するフォトダイオード、ＰＤＣはシアンで現像される像担持体上に導かれる光ビームを検出するフォトダイオードとする。
【０１１６】
初期はＰＤＭ、ＰＤＣで検出される光線が両方とも実線であった光線が、温度変動等の経時変動により、走査特性が各色間で異なった変化をし、ＰＤＭで検出される光線は点線、ＰＤＣで表される光線は一点鎖線のように変化したとする。このとき、画像の書き出し位置の調整により、各色間で書き出し位置を合わせたとしても、中央像高でビームスポット位置間隔の疎密が発生し、その疎密の発生量、発生位置は各色間（例えば、シアン、マゼンタ間）で異なる。従って、ビームスポット位置間隔の疎密を補正できる補正方法が必須となる。
【０１１７】
ここで、ＰＤＭとＰＤＣで検出される信号の時間差は、初期はある時間差ｔ０であったものが、温度変動等の経時変動後には、ＰＤＭとＰＤＣで検出される信号の時間差がｔ０から変化する。従って、シアンとマゼンタで光学特性の変化に差異が生じたときには、ＰＤＭとＰＤＣで検出される信号の時間差が初期での時間差ｔ０から変化する。
【０１１８】
このように、フォトダイオードで検出される信号の各色間での時間差と、各色間でのビームスポット位置の各色間での相対的な変動量の関係をあらかじめ調べておけば、温度変動等の経時変動時の各色間での相対的なビームスポット位置ずれが補正できる。
【０１１９】
温度変動等の経時変動により、各色間で相対的なビームスポット位置ずれが生じた際には、まず、各色に対応した各ＬＤに入力する走査開始タイミング信号の時間を調整することにより画像の書き出し位置が各色間でほぼ一致するように調整する。その後、各色間で画像の書き終わり位置が略一致するように画像幅を略合わせる手段により、各色間で画像幅を補正する。この補正は、画素クロックの周波数を変化させることにより行っても良いし、図５（ｂ），（ｃ）で説明した補正を有効走査領域全域に適用することで画像幅の補正を行っても良いし、この２つの方法を併用してもよい。
【０１２０】
書き出し位置と書き終わり位置が一致した後、各色間で相対的なビームスポット位置ずれがないように、中間像高においてビームスポット位置間隔の疎密を補正すればよい。ただし、中間像高においてビームスポット位置間隔の疎密を補正する際、書き終わり位置が変化しないように補正データを設定する必要がある。
【０１２１】
このような方法を用いると、画像の書き出し位置と書き終わり位置を非常に高精度で一致させることができるため、中間像高においても相対的なビームスポット位置ずれ補正が行いやすく、高精度な補正が可能である。さらに、画像の書き出し位置と書き終わり位置が高精度で一致していると、中間像高で補正すべき相対的なビームスポット位置ずれ量は少ない量で済むため、中間像高においても高精度に補正することができ、その結果、画像全域に渡って色ずれが少ない高品位な画像を得ることができる。
【０１２２】
温度変動等の経時変動により、各色間で相対的なビームスポット位置ずれが生じた際には、まず、各色に対応した各ＬＤに入力する走査開始タイミング信号の時間を調整することにより画像の書き出し位置が各色間でほぼ一致するように調整し、その後、中間像高において、各色間でビームスポット位置ずれが少なくなるように、それぞれの色でビームスポット位置間隔の疎密を補正していく。その際、画像幅の変動もしくは各色間での画像幅のずれが補正されるように、位相データの設定を工夫することで、画像幅の変動もしくは各色間での画像幅のずれを補正できる。ビームスポット位置間隔の疎密の補正を行うための情報としては、前述の予測手段による予測結果から補正データを得るのがよい。
【０１２３】
このような補正方法は、簡単なアルゴリズムで実行でき、且つ高価なフォトダイオード等の高価な光検出手段を少なくすることができ、且つ各色間でのビームスポット位置ずれを小さくすることができ、色ずれの少ない高品位な画像が得られる。
【０１２４】
出力画像において、一方の端に向かう方向を正、もう一方の端に向かう方向を負と定義する。複数の光源からの光ビームを光偏向器により同一方向に偏向される際は、光偏向器に最も近い走査レンズの副走査方向の上下で図９（ａ）に示すような温度分布差が生じやすい。このような温度分布差が発生すると、画像の書き出し位置と書き終わり位置を揃えたときには、中心像高付近は影響を受けにくいが、両側の像高は互いに正負逆のビームスポット位置ずれが生じ、また、位置ずれ量は中心像高付近に対して対称になりやすい。このようなときには、中心像高付近を中心にして、両側の像高で補正方向が逆になるようにビームスポット位置ずれの補正をし、補正量は中心に対して略対称になるように設定するのが良い（図９（ｂ））。
【０１２５】
出力画像において、一方の端に向かう方向を正、もう一方の端に向かう方向を負と定義する。図１に示すように、複数の光源からの光ビームを、光偏向器に対して互いに反対方向に偏向するときは、光偏向器に最も近い走査レンズにおいて、図１０（ａ）に示すような温度分布が生じやすい。このような温度分布が発生すると、画像の書き出し位置と画像の書き終わり位置を揃えたときには、中央像高付近で最もビームスポット位置ずれ量が大きく、ビームスポット位置ずれ方向は全像高に渡って同一方向（同一符号）に発生しやすい。このようなときには、ビームスポット位置ずれ補正の方向が全像高に渡って同一方向になるようにし、且つ中心像高付近で最も補正量が大きくなるようにするのが良い（図１０（ｂ））。
【図面の簡単な説明】
【０１２６】
【図１】本発明の光走査装置を４ドラムのタンデム式カラー画像形成装置に適用した実施例を示す。
【図２】画素クロック生成回路の構成を示す。
【図３】図２の動作を説明するためのタイミング図である。
【図４】図２の動作を説明するための別のタイミング図である。
【図５】走査領域を複数の区間に分割し、分割区間毎にビームスポット位置間隔の疎密を補正する方法を説明する図である。
【図６】ビームスポット位置間隔の疎密が補正できる様子を示す。
【図７】光走査装置を備えたレーザープリンターを示す。
【図８】各色間の相対的なビームスポット位置ずれの補正を説明する図である。
【図９】ビームスポット位置ずれ補正の例を示す。
【図１０】ビームスポット位置ずれ補正の他の例を示す。
【図１１】本発明が適用されるタンデム型フルカラーレーザプリンタを示す。
【符号の説明】
【０１２７】
１  レーザ光源
２  カップリングレンズ
３  シリンドリカルレンズ
４  ポリゴンミラー
５、６  走査結像レンズ
７  被走査面
【図１】
2005224947.tif 000003
【図２】
2005224947.tif 000004
【図３】
2005224947.tif 000005
【図４】
2005224947.tif 000006
【図５】
2005224947.tif 000007
【図６】
2005224947.tif 000008
【図７】
2005224947.tif 000009
【図８】
2005224947.tif 000010
【図９】
2005224947.tif 000011
【図１０】
2005224947.tif 000012
【図１１】
2005224947.tif 000013